(57)【要約】【課題】  サーミスタからの温度情報に基づいて、書き込み時の光ディスク装置内の温度を光ディスクに記録することを実現する。【解決手段】  光ディスク装置（５０）の書き込み動作の開始後に、ＣＰＵ２２は、書き込み動作の終了か否かを判別し（ステップＳ２）、終了していない場合はディスク時間を判別し（ステップＳ５）、ディスク時間を５分で割ったときの余りが０分のときは（ステップＳ５でＹｅｓ）、サーミスタ４１からの温度情報をＣＰＵ２２が読み込み、メモリ２１のＲＡＭ内に保存され（ステップＳ７）、書き込みを終了する場合は、メモリ２１のＲＡＭ内に保存された温度情報をＣＰＵ２２が読み込み（ステップＳ３）、ＣＤ−ＲのＲＩＤ領域に記録する（ステップＳ４）。【選択図】          図２
2006209864.tif 000002
【特許請求の範囲】
【請求項１】
書き込み用光ディスクに情報を書き込んでいる時の光ディスク装置内の温度を検出する温度検出手段と、
前記検出手段により検出された温度の情報を、前記書き込み用光ディスクに記録する記録手段を具備することを特徴とする光ディスク装置。
【請求項２】
前記検出手段により検出された温度の情報を、光ディスク装置に接続された外部装置上に表示させる表示手段を更に具備することを特徴とする請求項１に記載の光ディスク装置。
【請求項３】
検出手段により検出された温度の情報が記録された光ディスクから温度の情報を読み取る読み取り手段と、前記読み取り手段により読み取られた温度の情報を光ディスク装置に接続された外部装置上に表示させる表示手段を具備することを特徴とするホストコンピュータ。
【請求項４】
検出手段により検出された温度の情報が記録された光ディスクから温度の情報を読み取る読み取り手順と、前記読み取り手順により読み取られた温度の情報を光ディスク装置に接続された外部装置上にその温度の情報を表示させる手順とを、ホストコンピュータに実行させることを特徴とするプログラム。
【発明の詳細な説明】
【技術分野】
【０００１】
本発明は、書き込み用光ディスクにデータを書き込み可能な光ディスク装置、ホストコンピュータ及びプログラムに関する。
【背景技術】
【０００２】
従来、光ディスク装置の光ピックアップ部には、データの読み出し又は書き込みに使用されるレーザダイオードが備え付けられている。このレーザダイオードは、温度により出力が変わるという特性がある。このレーザダイオードの出力補正に使われるのが、サーミスタである。サーミスタは熱に敏感な抵抗体で、温度の変化につれてその抵抗値が極めて変化する。このようなサーミスタは光ディスク装置のみならず、その他の家電製品やＯＡ機器、産業機器など広範囲に温度センサとして使用されている（例えば特許文献１）。
【０００３】
【特許文献１】特開２００３−８５９６３
【発明の開示】
【発明が解決しようとする課題】
【０００４】
近年、読み込み速度、書き込み速度の高速化に伴うディスクの高速回転化や、データ処理ＬＳＩの高クロック化等により、光ディスク装置内の熱の発生要因は増加傾向にある。また、ＰＣのパーツも同様に、ＣＰＵ、グラフィックスチップ等の高クロック化による熱の発生でＰＣ内部が高温になるという問題がある。これによる弊害としては、高温によって光ディスクの書き込み品位が悪化する可能性が高くなる。光ディスクの書き込み品位が悪かった場合は、光ディスク装置内の温度が関係していたか否かを調べる手段は存在しなかった。
【０００５】
そこで、本発明は、サーミスタからの温度情報に基づいて、書き込み時の光ディスク装置内の温度を光ディスクに記録することを目的とする。
【課題を解決するための手段】
【０００６】
上記目的は、書き込み用光ディスクに情報を書き込んでいる時の光ディスク装置内の温度を検出する温度検出手段と、前記検出手段により検出された温度の情報を、前記書き込み用光ディスクに記録する記録手段を具備する光ディスク装置によって達成できる。
【０００７】
この構成により、書き込みがなされた光ディスクから、書き込み時の光ディスク装置内の温度を事後的に調査することができる。
【０００８】
また、上記目的は、前記検出手段により検出された温度の情報を、光ディスク装置に接続された外部装置上に表示させる表示手段を更に具備する光ディスク装置によって達成できる。
【０００９】
この構成により、ユーザにとっては書き込み時の温度を確認でき、高温である場合にはＰＣ全体の排熱を見直す等の対策が可能となる。また、光ディスク装置の開発者にとっては、開発時における基礎データの収集に役立つ。特に、最適ストラテジの決定に有効である。
【００１０】
また、上記目的は、検出手段により検出された温度の情報が記録された光ディスクから温度の情報を読み取る読み取り手段と、前記読み取り手段により読み取られた温度の情報を光ディスク装置に接続された外部装置上に表示させる表示手段を具備するホストコンピュータによっても達成できる。
【００１１】
また、検出手段により検出された温度の情報が記録された光ディスクから温度の情報を読み取る読み取り手順と、前記読み取り手順により読み取られた温度の情報を光ディスク装置に接続された外部装置上にその温度の情報を表示させる手順とを、ホストコンピュータに実行させるプログラムによっても達成できる。
【発明の効果】
【００１２】
本発明によると、書き込み時の光ディスク装置内の温度が解る。これにより、高温であると判断した場合には書き込み環境の改善が可能である。また、光ディスク装置の開発時における基礎データの収集にも利用できる。
【発明を実施するための最良の形態】
【００１３】
以下、本発明の好適な実施の形態を図面に基づいて詳細に説明する。本実施の形態に係る光ディスク装置５０の構成を図１に示す。光ディスク装置５０は、光ディスク１０に向かって所定の波長のレーザビームを照射し、光ディスクに記録されているデータを再生する。また、光ディスク装置５０は、例えばＣＤ−Ｒ、ＣＤ−ＲＷ、ＤＶＤ−Ｒ、ＤＶＤ−ＲＷ、ＤＶＤ−ＲＡＭなどのデータの記録が可能な光ディスクに対して、データ再生時よりも強度の大きいレーザビームを照射してデータを書き込むものである。
【００１４】
図１に示すように光ディスク装置５０は、光ピックアップ４０、サーミスタ４１、光ディスク１０、ドライブ制御部２０により構成される。更に、光ディスク装置５０は、光ディスク１０を高速回転させるための駆動部３０から構成される。また、ドライブ制御部２０は、メモリ２１、ＣＰＵ２２、Ｉ／Ｆ（インタフェース）２３、Ａ／Ｄ（アナログ・デジタルコンバータ）変換器２４により構成される。
【００１５】
光ピックアップ４０は、光ディスク１０に対してレーザ光を照射して情報の書き込みや、再生を行うためのもので、図示しないが、レーザ光源としての半導体レーザや、出射されたレーザ光を光ディスク１０に照射させ、また、その反射光を受光するための光学系及び受光素子、レーザ光ビームのフォーカス調整のためのフォーカスアクチュエータ、レーザ光ビームのトラッキング調整のためのトラッキングアクチュエータなどから構成される。
【００１６】
サーミスタ４１は、温度によって出力が変わる特性を持つ半導体レーザの出力補正に使用されるものであり、温度センサ内に備わる感熱素子である。温度センサは、周囲の温度変化に応じて変化したサーミスタ４１の抵抗値を検出して、電圧値に変換し、この電圧信号をＡ／Ｄ変換器２４へ出力する。このサーミスタ４１は、光ディスク装置５０の内部の温度を検出する温度検出手段としての機能を具備する。
【００１７】
Ａ／Ｄ変換器２４は、サーミスタ４１から入力された、光ディスク装置の内部の温度を示す電圧信号（アナログ信号）をデジタル信号に変換し、ＣＰＵ２２に出力する。
【００１８】
メモリ２１は、ＣＰＵ２２が書き込み及び再生のプログラムの実行や、Ｉ／Ｆ及びＡ／Ｄ変換器２４とのデータ交換をするために一時的に使用する記憶領域である。メモリ２１には、書き込み可能な領域（ＲＡＭ）及び書き込みが不可能な領域（ＲＯＭ）を有するが、一時的に使用される記憶領域はＲＡＭ内に確保される。
【００１９】
ＣＰＵ２２は、Ｉ／Ｆ２３を介してホストコンピュータからのコマンドを受け、駆動部３０に指令を出す。また、ＣＰＵ２２は、Ａ／Ｄ変換器２４からのデジタル信号を演算によって温度データに変換し温度を計測してＩ／Ｆ２３に温度情報を送信する。
【００２０】
Ｉ／Ｆ２３はホストコンピュータ又はＣＰＵ２２と情報の通信を行う。
【００２１】
以下、本発明の実施例について、書き込み動作を開始した時の光ディスク装置の動作について、図１のブロック図と図２のフローチャートに基づいて説明する。
【００２２】
Ｉ／Ｆ２３を介して書き込み命令を受けたＣＰＵ２２は、駆動部３０に指令を出して光ディスク１０を回転させ、書き込みを開始する（ステップＳ１）。ＣＰＵ２２は、書き込み動作を開始後に、書き込み動作が終了か否か判別し（ステップＳ２）、終了していない場合は、ディスク時間（ＭＳＦ）を判別する（ステップＳ５）。ここでディスク時間とは、光ディスクの記録領域の先頭からの再生したときの経過した時間をいう。
【００２３】
ディスク時間の判別方法は、ディスク時間を５分で割ったときの余りが０分か否かで判別する（ステップＳ５）。余りが０分のときは（ステップＳ５でＹｅｓ）、サーミスタ４１からの温度情報を、Ａ／Ｄ変換器２４を介してＣＰＵ２２が読込む（ステップＳ６）。ＣＰＵ２２が読込んだ温度情報は、メモリ２１のＲＡＭ内に保存され（ステップＳ７）、ステップＳ１に戻る。ディスク時間を５分で割ったときの余りが０分ではないときは（ステップＳ５でＮｏ）、そのままステップＳ１に戻る。即ち、ディスク時間における５分毎の温度情報が、メモリ２１のＲＡＭ内に保存される。
【００２４】
書き込みを終了する場合は（ステップＳ２でＹｅｓ）、メモリ２１に保存されたディスク時間で５分毎の温度情報の全てをＣＰＵ２２が読み込む（ステップＳ３）。次に、書き込まれた光ディスクがＣＤ−Ｒの場合は、読み込んだ温度情報を、ＣＤ−ＲのＲＩＤ（Ｒｅｃｏｒｄｅｒ  Ｉｄｅｎｔｉｆｉｃａｔｉｏｎ）領域内のＭａｎｕｆａｃｔｕｒｅ  Ｓｐｅｃｉｆｉｃ領域に記録する（ステップＳ４）。この領域は、書き込みに使用した光ディスク装置のベンダの情報やシリアル番号等を記録する領域である。書き込まれた光ディスクがＣＤ−Ｒ以外の場合は、各々の規格で定義されたベンダ定義領域に温度情報が記録される。なお、温度情報は、１データにつき１バイトの領域を使用する。この領域に温度情報を記録することにより、ユーザは書き込み時の光ディスク装置内の温度を知ることができる。
【００２５】
図３は、光ディスクに記録された温度情報を利用する場合の例であり、ＣＤ−Ｒに書き込んだ場合の例である。エラーレートを測定できるアプリケーションを用いて、横軸をディスク時間とし、縦軸をエラーレートと光ディスクの書き込み時の温度としたグラフを表示すれば、エラーレートと書き込み時の温度の相関関係が容易に理解できる。この図では、光ディスク装置内の温度が上昇するにつれ、エラーレートも上がっていくことがわかる。このように使用することにより、ユーザにとっては書き込み時の温度を確認でき、高温である場合にはＰＣ全体の排熱を見直す等の対策が可能となる。また、光ディスク装置の開発者にとっては、開発時における基礎データの収集に役立つ。特に、最適ストラテジの決定に有効である。
【００２６】
尚、本発明は上記実施の形態に限定されず、様々な変形が可能である。例えば、書き込み中の光ディスク装置内の温度を、アプリケーションを用いてリアルタイムでモニターに表示しても良い。また、温度情報は、光ディスクのユーザデータの中に記録しておいても良い。
【図面の簡単な説明】
【００２７】
【図１】光ディスク装置５０の内部構造を示すブロック図である。
【図２】光ディスクに、温度情報を記録する場合のフローチャートである。
【図３】光ディスクに記録された温度情報を利用する場合の図である。
【符号の説明】
【００２８】
１０  光ディスク
２０  ドライブ制御部
２１  メモリ
２２  ＣＰＵ
２３  Ｉ／Ｆ
２４  Ａ／Ｄ変換器
３０  駆動部
４０  光ピックアップ
４１  サーミスタ
５０  光ディスク装置
【図１】
2006209864.tif 000003
【図２】
2006209864.tif 000004
【図３】
2006209864.tif 000005